(57)【要約】【課題】  本発明は、損傷した細長状の擬似を容易に交換できる釣り用ジグを提供することを課題とし、併せて、魚が針に掛かり易く改良された釣り用ジグを提供することを課題とする。【解決手段】  錘部２１と錘部２１から突設されたハリス連結部２２とを有するジグヘッド２と、ハリス連結部２２に取り付けられたハリス３と、該ジグヘッド２１に設けられた柔軟な細長状の擬似４と、ハリス連結部２２に嵌入脱可能で且つ弾性部材を管状に形成してなる弾性管体５と、を備え、細長状の擬似４が、弾性管体５を介してハリス連結部３に取り付けられている釣り用ジグ１。【選択図】      図２
2008054539.tif 000002
【特許請求の範囲】
【請求項１】
錘部と錘部から突設されたハリス連結部とを有するジグヘッドと、ハリス連結部に取り付けられたハリスと、該ジグヘッドに設けられた柔軟な細長状の擬似と、ハリス連結部に嵌入脱可能で且つ弾性部材を管状に形成してなる弾性管体と、を備え、細長状の擬似が、弾性管体を介してハリス連結部に取り付けられていることを特徴とする釣り用ジグ。
【請求項２】
ハリスの端部が環状に形成された環状端部を有し、
ハリス連結部が、錘部に固着され且つ錘部の後方側へ延設された延出部と、延出部の先端に於いて屈曲され且つハリスの環状端部を係止するフック部と、フック部から延設され且つハリスの環状端部が挿通される挿通部と、を有し、
前記弾性管体は、フック部の近傍またはフック部の後方側に弾性管体の一方の開口端部が位置するように、ハリス連結部に嵌入される請求項１に記載の釣り用ジグ。
【請求項３】
細長状の擬似が、弾性管体の両開口端部から外方側へそれぞれ伸びる請求項１または２に記載の釣り用ジグ。
【請求項４】
細長状の擬似が、弾性管体の管内に挿通されている請求項３に記載の釣り用ジグ。
【請求項５】
細長状の擬似が、弾性管体の外周面または内周面に固着されている請求項３に記載の釣り用ジグ。
【請求項６】
鯛釣り用のジグである請求項１〜５のいずれかに記載の釣り用ジグ。
【発明の詳細な説明】
【技術分野】
【０００１】
本発明は、釣り用ジグに関し、特に、鯛を釣るのに好適な釣り用ジグに関する。
【背景技術】
【０００２】
従来、魚釣りを行うに際して、各種のジグ（ルアー、擬似餌などとも呼ばれる）が用いられている。また、これらジグは、対象魚に応じて、様々な態様のものが用いられている。例えば、鯛などを釣るジグとして、最近、図７に示すように、柔軟な細長状の擬似１０５を備えるジグ１００が用いられている。
具体的には、このジグ１００は、所定形状に形成された錘部１０１（例えば、錘を楕円状に形成し、且つその表面に所望の装飾を施したもの）を有するジグヘッド１０２と、ジグヘッド１０２の前部に設けられたミチ糸連結部１０３と、ジグヘッド１０２の後部に結ばれたハリス１０４と、ジグヘッド１０２の後部に固着された柔軟な細長状の擬似１０５と、を備えている。
なお、細長状の擬似１０５は、細長い帯状の擬似１０５ａと細長い線状の擬似１０５ｂとを併せて用いることが多い。該帯状の擬似１０５ａは、所定幅または次第に拡幅状に形成した可撓性のシートからなる。該帯状の擬似１０５ａは、一般に、厚み０．２ｍｍ〜１ｍｍ程度、幅１．５ｍｍ〜７ｍｍ程度、長さ５ｃｍ〜２５ｃｍ程度のものが用いられる。線状の擬似１０５ｂは、可撓性の棒状体からなり、通常、断面積０．３〜２ｍｍ２程度、長さ３〜１０ｃｍ程度のものが用いられる。帯状の擬似１０５ａ及び線状の擬似１０５ｂの材質は、特に限定されず、例えば、ゴム、エラストマーなどの伸縮性を有する材料や、合成樹脂押出成型品などが用いられる。
【０００３】
上記ジグ１０１は、鯛などの魚を、主として細長状の擬似１０５によって誘因する。これに興味を示した魚は、細長状の擬似１０５のうち、特に、帯状の擬似１０５ａに食い付き、該擬似を補食していくうちに、針１０６に掛かる。上記ジグ１００は、このような仕組みで、鯛などの魚を釣ることができる。
しかしながら、細長状の擬似１０５は、ゴムなどの柔軟な材料で形成されているため、魚が食い付くことにより、千切れて短くなっていく。
このように帯状の擬似１０５ａが千切れて短くなると、ジグヘッド１０２は何ら損傷していないにも拘わらず、ジグ１００を交換しなければならないという問題がある。
【０００４】
また、上述のように、この種のジグは、魚が細長状の擬似１０５の先端部から該擬似を徐々に補食していくうちに、魚が針１０６に掛かる仕組みの釣り方である。従って、海中に於いて、帯状の擬似１０５ａと針１０６は、出来るだけ近い状態で流れていることが好ましい。
しかしながら、従来のジグ１００に於いては、比較的軽く且つ柔軟な細長状の擬似１０５が、ミチ糸１０７の引張り方向に沿って流れる一方で、比較的重たい針１０６は、下方側へ垂れた状態で流れることが多い。従って、海中に於いて、細長状の擬似１０５と針１０６の距離が、広く開いていることが多い。このため、魚が針１０６に掛かり難かったり、或いは、魚の口の外部分に針１０６が掛かって、引き上げ途中で魚が針から外れるという問題があった。
【発明の開示】
【発明が解決しようとする課題】
【０００５】
そこで、本発明は、損傷した細長状の擬似を容易に交換できる釣り用ジグを提供することを課題とし、併せて、魚が針に掛かり易く改良された釣り用ジグを提供することを課題とする。
【課題を解決するための手段】
【０００６】
そこで、本発明は、錘部と錘部から突設されたハリス連結部とを有するジグヘッドと、ハリス連結部に取り付けられたハリスと、該ジグヘッドに設けられた柔軟な細長状の擬似と、ハリス連結部に嵌入脱可能で且つ弾性部材を管状に形成してなる弾性管体と、を備え、細長状の擬似が、弾性管体を介してハリス連結部に取り付けられていることを特徴とする釣り用ジグを提供する。
【０００７】
本発明の釣り用ジグは、弾性管体を介して、細長状の擬似がハリス連結部に取り付けられている。弾性管体は、適宜弾性変形するため、該弾性力を利用してハリス連結部に対して容易に着脱することができる。
このように容易に着脱できる弾性管体を介して細長状の擬似が取り付けられているので、該細長状の擬似が損傷した場合、これを容易に交換することができる。従って、細長状の擬似が損傷した場合に、当該ジグを廃棄せずに、損傷した擬似を新たな擬似に交換することによって、釣り用ジグを再生することができる。
【０００８】
本発明の好ましい態様として、ハリスの端部が環状に形成された環状端部を有し、ハリス連結部が、錘部に固着され且つ錘部の後方側へ延設された延出部と、延出部の先端に於いて屈曲され且つハリスの環状端部を係止するフック部と、フック部から延設され、ハリスの環状端部が挿通される挿通部と、を有し、弾性管体の一方の開口端部がフック部の近傍またはフック部の後方側に位置するように、上記弾性管体がハリス連結部に嵌入される構成を挙げることができる。
【０００９】
かかる好ましい態様では、挿通部からハリスの環状端部を挿通することにより、ハリス連結部のフック部に於いてハリスを係止することができる。かかるハリス連結部のフック部の近傍またはフック部の後方側に弾性管体の一方の開口端部が位置するように、弾性管体がハリス連結部に嵌入されている。このため、ハリスの環状端部は、フック部から移動し難くなる。
従って、ハリスの環状端部は、フック部に固定的に取り付けられるので、従来のジグに比して、ハリスが下方側に垂れ下がり難く、該ハリスは、下方後方側へ靡くように、下がり傾斜状に浮遊し易くなる。よって、ハリスの先端に取り付けられた針と細長状の擬似との距離が小さくなり、魚が針に掛かり易く、或いは、魚の口の外部分に針が掛かることが防がれ、引き上げ途中で魚が針から外れるというを防止することができる。
【００１０】
また、好ましくは、細長状の擬似が、弾性管体の両開口端部から外方側へそれぞれ延びるように構成する。細長状の擬似を弾性管体を介してハリス連結部に取り付けて、釣り用ジグを海中に投入すると、ジグの引き寄せ或いは潮流の作用によって、弾性管体の両開口端部から外方側へそれぞれ延びた細長状の擬似は、後方側へ靡きながら、後方に傾斜して浮遊する。
弾性管体の両開口端部のうち前方側の開口端部から延びる細長状の擬似は、前方側の開口端部近傍で下方側に曲がって、後方側に靡きながら、後方に傾斜して浮遊する。このため、当該擬似は、ハリスよりも下方側を浮遊する。
従って、かかる好ましい構成では、両開口端部から出た細長状の擬似の間をハリスが位置して流れることになる。
かかる細長状の擬似は、比較的軽いので、ハリスの下方側を浮遊する細長状の擬似は、ジグの引き寄せ時或いは潮流の作用によって、該ハリスの下方側から適宜浮上する。このため当該細長状の擬似は、ハリスと絡み合うように、ハリスを上方へ押し上げて、細長状の擬似のうち、弾性管体の後方側の開口端部から出た部分にハリスを近づける。
また、ハリス及び細長状の擬似の取り付けられる箇所が共にハリス連結部と同じであるため、ハリスを上方へ押し上げる作用と相俟って、細長状の擬似とハリスとの間隔が狭まる。このように細長状の擬似とハリスとの間隔が狭まることによって、細長状の擬似を補食している魚が針に掛かり易くなる。
【００１１】
尚、弾性管体の両開口端部から外方側へそれぞれ延びるようにする構成として、細長状の擬似が、弾性管体の外面または内面に固着する構成を挙げることができる。
【００１２】
また、弾性管体の両開口端部から外方側へそれぞれ延びるようにする構成として、細長状の擬似が弾性管体の管内に挿通される構成を挙げることができる。細長状の擬似が弾性管体に挿通されていると、細長状の擬似のうち、一方の開口端部から延びた部分が千切れて短くなった場合、両開口端部から延びるそれぞれの長さを調整し、両開口端部から延びるそれぞれの長さを魚の興味を惹くことができる程度の長さにすることで、新品の擬似に交換しないで使用することもできる。
【００１３】
以上に説明した本発明の釣り用ジグは鯛釣り用ジグとして使用することが好ましい。
【発明の効果】
【００１４】
本発明の釣り用ジグは、細長状の擬似を容易に交換することができる。従って、例えば、細長状の擬似が千切れて短くなった場合、該細長状の擬似を新たな擬似に交換することによって、新品のジグと同等のジグを再生することができる。
また、本発明の釣り用ジグは、環状端部がハリス連結部の後部のフック部に固定的に取り付けられるので、ハリスが垂れ下がり難く、ハリスに取り付けられる針と細長状の擬似との距離が小なり、細長状の擬似を捕食した魚が掛かりくなる。
【発明を実施するための最良の形態】
【００１５】
以下、本発明を図面を参照しつつ説明する。なお、説明上、方向を示す用語として、「前方側」は、ジグヘッドに形成されたミチ糸連結部側を指し、「後方側」は、ジグヘッドを中心として前記ミチ糸連結部と反対側を指す。
図１に於いて、１は、釣り用ジグを示す。かかる釣り用ジグ１は、主に鯛釣りに使用されるジグである。
釣り用ジグ１は、ジグヘッド２と、ハリス３と、細長状の擬似４と、弾性管体５と、弾性リング体６とを備えている。
【００１６】
ジグヘッド２は、所定形状（例えば、タコやイカの頭部に似せた形状など）に形成された錘部２１と、ハリス３などが取り付けられるハリス連結部２２と、ミチ糸７が連結されるミチ糸連結部２３と、を有する。錘部２１は、鉛などの比較的高比重の材質（例えば、鉛、鉄などの金属）で構成されている。この錘部２１の後端部には、円柱状部分２１１ａとその先端側から延設され、且つ円柱状部分２１１ａよりも大径な円錐状部分２１１ｂとから構成される嵌着部２１１が形成されている。この嵌着部２１１の円柱状部分２１１ａは、弾性リング体６が嵌着される。ハリス連結部２２は、この嵌着部２１１から突設されている。ミチ糸連結部２３は、錘部２１の前端部（嵌着部２１１に対向する端部）に設けられている。
なお、錘部２１の表面には、魚が興味を引くように、光を反射する加工や適宜な色彩が施されている。
【００１７】
ハリス連結部２２は、図２（ａ）に示すように、嵌着部２１１の円錐状部分の天頂部に固着され且つ嵌着部２１１から延設された延出部２２１と、延出部２２１の先端に於いて略半円弧状に屈曲され且つハリス３を係止するフック部２２２と、フック部２２２から錘部２１側に延設された挿通部２２３とを有している。ハリス連結部２２は、一端部がジグヘッド２の嵌着部２１１に固着された１本の金属製等の細長部材から形成されている。ハリス連結部２２は、ハリス３の環状端部３１を係止できるように、該細長部材を所定形状に曲げ加工等を行うことによって形成されている。
具体的には、ハリス連結部２２の延出部２２１は、嵌着部２１１から後方側に略直線状に伸びている。フック部２２２は、嵌着部２２１の端部を略半円弧状に折り曲げることによって形成されている。挿通部２２３は、折り曲げられたフック部２２２の端部から前方側に延設されている。該挿通部２２３は、その中間域に於いて延出部２２１と近接し、且つ、その端部側に向かうに従って延出部２２１から離反するように形成されている。挿通部２２３の端部と延出部２２１の間隔は、ハリス３の環状端部３１の肉厚よりも広く、一方、挿通部２２３の中間域と延出部２２１の間隔は、ハリス３の環状端部３１の肉厚よりも狭く形成されている。かかる挿通部２２３の端部から挿入したハリス３の環状端部３１を、フック部２２２側へ引き寄せ、該環状端部３１が挿通部２２３の中間域に至ると、該環状端部３１又は挿通部２２３が変形し、該中間域を越えることにより、環状端部３１が、フック部２２２に係止される。
【００１８】
ハリス３は、図２（ｂ）に示すように、ハリス連結部２２に挿通可能な環状端部３１を有する糸３３と、該糸３３の先端に取り付けられた針３２と、を有する。
環状端部３１は、糸３３の端部をリング状に結ぶことによって形成されている。該環状端部３１は、ハリス連結部２２の挿通部２２３から挿通され、フック部２２２に係止される。
また、糸３３は、中途部に於いて二股状に分岐され、それぞれの糸３３，３３の先端に針３２，３２が取り付けられている。
【００１９】
細長状の擬似４は、帯状の擬似４１と線状の擬似４２とを有する。帯状の擬似４１と線状の擬似４２とは何れも細長く且つ柔軟である。
帯状の擬似４１は、所定幅または次第に拡幅状に形成した可撓性のシートからなる。該帯状の擬似４１は、一般に、厚み０．３ｍｍ〜１ｍｍ程度、幅１．５ｍｍ〜７ｍｍ程度、長さ５ｃｍ〜２５ｃｍ程度のものが用いられる。線状の擬似４２は、可撓性の棒状体からなり、通常、断面積０．３〜２ｍｍ２程度、長さ３〜１０ｃｍ程度のものが用いられる。帯状の擬似４１及び線状の擬似４２の材質は、特に限定されず、例えば、天然ゴム又は合成ゴム、エラストマーなどの伸縮性を有する材料や、合成樹脂押出成型品などを用いることができる。
帯状の擬似４１は、例えば、弾性管体５を介してハリス連結部２２に取り付けられている。また、線状の擬似４２は、例えば、弾性リング体６を介して嵌着部２１１に取り付けられている。
【００２０】
弾性管体５は、弾性のある材質を用い、管状に形成されている。弾性管体５は、所定長さで且つ径が一定の筒状体や、所定長さで且つ一方側の径が細くなったテーパ状の筒状体などを用いることができる。
当該弾性管体５の材質は、弾性を有する限りにおいて特に限定されるものでなく、例えば、天然又は合成ゴム、エラストマーなどを用いることができる。
弾性管体５の長さは、特に限定されるものではないが、少なくとも挿通部２２３を覆うことができる程度の長さを有することが好ましい。本実施形態では、ハリス連結部２２の延出長さとほぼ同じ長さ又は該ハリス連結部２２よりも少し長く形成されている。
また、弾性管体５の管径は、ハリス連結具２２の最大周長さ（本実施形態では、フック部２２２の周長さ）よりも小さく形成されている。つまり、弾性管体５の管径は、該弾性管体５をハリス連結部２２に嵌入した際、ハリス連結部２２によって押し広げられる程度の大きさに形成されている。かかる弾性管体５は、ハリス連結部２２に嵌入した際に弾性変形し、ハリス連結部２２に強く密着することによって、ハリス連結部２２に取り付けられる。一方、このように弾性管体５は弾性変形するので、該弾性管体５を手で持ってハリス連結部２２から引き抜くことによって、弾性管体５をハリス連結部２２から取り外すことができる。
【００２１】
この弾性管体５の管内には、図３（ａ）に示すように、帯状の擬似４１が挿通されている。帯状の擬似４１は、１本の帯状体で構成され、弾性管体５の両開口端部５２ａ，５２ｂから外方側へそれぞれ延びるように挿通されている。該１本の擬似４１は、弾性管体５の両開口端部５２ａ，５２ｂからそれぞれ延出され、その延出長さが同じ長さとなるように調整されている。
ここで、本明細書に於いて、後方側の開口端部５２ａから外方側へ延出した擬似４１を「第１の擬似４１’」といい、前方側の開口端部５２ｂから外方側へ延出した擬似４１を「第２の擬似４１”」という場合がある。
【００２２】
弾性管体５の管内に帯状の擬似４１を挿通した状態で、該弾性管体５は、ハリス連結部２２全体を覆うように嵌入されている（図４（ａ）及び（ｂ）参照）。従って、該弾性管体５を介して、帯状の擬似４１がハリス連結部２２に取り付けられている。
また、弾性管体５をハリス連結部２２全体を覆うように挿通することにより、ハリス連結部２２の挿通部２２３の端部周囲が弾性管体５によって覆われるので、ハリス３の環状端部３１が不用意に抜けて外れる虞がない。
さらに、弾性管体５は、ハリス連結部２２の延出長さとほぼ同じ長さ又は該ハリス連結部２２よりも少し長く形成されている。このため、弾性管体５をハリス連結部２２に嵌入した際には、弾性管体５の後方側の開口端部５２ａが、フック部２２２の近傍又はフック部２２２の後方側に位置する。従って、フック部２２２に係止されたハリス３の環状端部３１は、該弾性管体５によって延出部２２１側へと移動しないように保持される。このため、ジグ１の使用時に、ハリス３の環状端部３１が、ハリス連結部２２の延出部２２１側へ移動せず、ハリス３をハリス連結部２２の後方側（すなわち、ハリス連結部２２のフック部２２２）に保持できる。
【００２３】
また、該弾性管体５をハリス連結部２２に嵌入する際には、図４（ａ）及び（ｂ）に示すように、ハリス連結部２２の下方側に帯状の擬似４１が位置するように調整しつつ、弾性管体５をハリス連結部２２に嵌入することが好ましい。なぜなら、このように位置合わせすることにより、ジグ１の使用時、前方側の開口端部５２ｂから出た第２の擬似４１”が、下方側へ曲がりつつ後方側へ延びて浮遊し（円弧状に約１８０度折れ曲がって浮遊し）、該第２の擬似４１”がハリス３の下方側に位置するからである。
【００２４】
次に、弾性リング体６は、弾性のある材質を用い、リング状に形成されている。弾性リング体６の材質は、弾性を有する限りにおいて特に限定されるものでなく、例えば、天然又は合成ゴム、エラストマーなどを用いることができる。
弾性リング体６は、その内径が嵌着部２１１の円柱状部分２１１ａの外径よりも若干小さく形成されている。弾性リング体６は、円柱状部分２１１ａに嵌着すると、弾性力によって円柱状部分２１１ａに密着し、円柱状部分２１１ａに固定することができる。
【００２５】
この弾性リング体６は、線状の擬似４２をジグヘッド２に取り付けるための部材である。この弾性リング体６のリング部分に複数本の線状の擬似４２を挿通した状態で、該弾性リング体６を円柱状部分２１１ａに嵌入することにより、線状の擬似４２をジグヘッド２に取り付けることができる（図４（ａ）及び（ｂ）参照）。なお、該弾性リング体６を円柱状部分２１１ａから引き抜くことにより、線状の擬似４２をジグヘッド２から取り外すこともできる。
【００２６】
上記ジグ１は、ジグヘッド２、ハリス３、帯状の擬似４１、線状の擬似４２、弾性管体５及び弾性リング体６の各部材を組み立てることによって構成される。
組み立ての手順を簡単に示すと、先ず、弾性リング体６のリング部内に、複数本（通常、５〜１０本程度）の線状の擬似４２を挿入し、これをジグヘッド２の嵌着部２１１の円柱状部分２１１ａに嵌入する。次に、帯状の擬似４２を弾性管体５の管内に挿通する。更に、この弾性管体５の管内に、ハリス３の環状端部３１を挿入して、弾性管体５を糸３３に挿通する。次に、該環状端部３１をハリス連結部２２の挿通部２２３から入れてフック部２２２に係止する。最後に、ハリス連結部２２の下方側に帯状の擬似４１が位置するように調整しつつ、弾性管体５をハリス連結部２２に嵌入する。かかる手順で、図１に示すようなジグ１を得ることができる。
なお、各部材を取り外す際には、上記組み立てと逆の手順で行えばよい。
【００２７】
上記構成からなる釣り用ジグ１は、例えば、図１に示すように、ミチ糸連結部２３にミチ糸７を結び、海中に投入して使用される。
釣り用ジグ１が海中に投入されると、錘部２１の重みによってジグ１は海底へ沈む。その後、ミチ糸７を巻き取ることによって、線状の擬似４２、帯状の擬似４１及びハリス３がジグヘッド２の後方側へ靡きながら、ジグ１が引き寄せられる。
かかるジグ１の細長状の擬似４のうち主として帯状の擬似４１に、鯛などの魚が興味を示し、該帯状の擬似４１に食い付く。そして、帯状の擬似４１を魚が捕食しているうちに、魚が針３２に引っ掛かる。
【００２８】
本発明のジグ１は、弾性管体５によってハリス３がハリス連結部２２の後方側に固定的に（移動しないように）取り付けられているので、従来のジグに比して、ハリス３が下方側に垂れ下がり難く、該ハリス３は、下方後方側へ靡くように、下がり傾斜状に浮遊し易くなる。
一方、弾性管体５にて取り付けられた帯状の擬似４１のうち、第１の擬似４１’は、後方側の開口端部５２ａから延びているので、下がり傾斜状のハリス３の上方側を浮遊する。他方、帯状の擬似４１のうち、第２の擬似４１”は、前方側の開口端部５２ｂから出た後、下方側へ曲がり且つ後方側へ延びて浮遊する。このため、該第２の擬似４１”は、上記ハリス３の下方側にて浮遊する。
従って、ジグ１が海中で引き寄せられると、図１に示すように、浮遊する上下２本の擬似４１’，４１”の間にハリス３が位置して流れることとなる。
擬似４１は、比較的軽いので、ハリス３の下方側に位置して浮遊する第２の擬似４１”は、ジグ１の引き寄せ時或いは潮流の作用によって、該ハリス３の下方側から適宜浮上する。このため他方の擬似４１”は、ハリス３と絡み合うように、ハリス３を上方へ押し上げる作用を有する。
従って、第１の擬似４１’及び第２の擬似４１”とハリス３との間隔が狭まる。このように擬似４１とハリス３が近接することによって、魚が、何れか一方の擬似４１又は双方の擬似４１を補食しているうちに、該魚の口に針３２が掛かり易くなる。
よって、釣り上げ途中に魚が針から外れにくく、良好な釣果を期待できる。
【００２９】
また、本発明のジグ１は、弾性管体５を介して帯状の擬似４１が取り付けられている。従って、帯状の擬似４１が魚に捕食されて短くなったり、或いは損傷したりして、魚の誘因効果が低下した場合に、弾性管体５を取り外し、そして、新たな帯状の擬似４１を弾性管体５に挿通してこれをハリス連結部２２に取り付けることによって、ジグ１を再生することができる。
このように、本実施形態の釣り用ジグ１は、帯状の擬似４１が短くなっても、帯状の擬似４１を交換することで、その後も使用し続けることができる。  
【００３０】
また、図３（ｂ）に示すように、弾性管体５の両開口端部５２ａ，５２ｂから伸びた擬似４１のうち、何れか一方のみが短くなった場合には、上記したように擬似４１を交換せずに使用することもできる。例えば、第１の擬似４１’が短くなった場合には、該擬似４１’を弾性管体５から引き出すことにより、両開口端部５２ａ，５２ｂから延びる擬似４１の長さを調整することもできる（調整後を図３（ｃ）に示す）。この場合、第２の擬似４１”は、第１の擬似４１’を引き出した相当分だけ短くなる。
帯状の擬似４１が弾性管体５に接着されておらず、該擬似４１が弾性管体５内に挿通されている本実施形態では、擬似４１を引き出して長さを調整できるので、帯状の擬似４１がある程度の長さを有している間は、新品の擬似４１に交換しないで使用することもできる。
なお、帯状の擬似４１が大幅に短くなったときは、長さを調整しても、魚の興味を惹くことができる程度の長さとならないので、この場合は、帯状の擬似４１は、新品のものに交換される。
【００３１】
次に、本発明の変形例を示す。
上記実施形態では、帯状の擬似４１が弾性管体５に単に挿通されている場合について説明したが、帯状の擬似４１は弾性管体５に固着されていても良い。帯状の擬似４１が固着されていても、帯状の擬似４１が千切れて短くなった場合は、ハリス連結部２２に嵌入される弾性管体５を交換することによって、釣り用ジグ１を再生できる。
帯状の擬似４１の固着方法については特に限定されるものでなく、例えば、接着剤等で接着する方法が一般的に挙げられる。また、弾性管体５と擬似４１を、ゴムなどの材料にて一体的に成形してもよい。また 固着箇所は、特に限定されるものでなく、図５（ａ）に示すように、弾性管体５の外面５３でも、図５（ｂ）に示すように弾性管体５の内面５１でも良い。
帯状の擬似４１を、両開口端部５２から外方側にそれぞれ延びるようにする構成として、例えば、図５（ｃ）に示すように、２本の帯状の擬似４１のうち１本を一方の開口端部５２ａ付近の外面５３に固着し、もう１本を他方の開口端部５２ｂ付近の外面５３に固着してもよい。もちろん、図５（ｄ）に示すように、固着箇所を外面５３に代えて内面５１でもよい。
図５（ａ）〜（ｄ）に示すように、弾性管体５が取り付けられた釣り用ジグ１は、上記実施形態と同様に、両開口端部５２ａ，５２ｂから帯状の擬似４１がそれぞれ延びる構成であるため、２本の擬似４１’，４１”の間にハリス３が位置して流れ、ハリス３が第２の擬似４１”に押し上げられ、第１の擬似４１’及び第２の擬似４１”とハリス３との間隔が狭まり、良好な釣果を期待できる。
また、両開口端部５２ａ，５２ｂから外方側に延びるそれぞれの帯状の擬似４１の数は、特に限定されるものでなく、２本以上であってもよい。
また、図５（ｅ）に示すように、帯状の擬似４１が、両開口端部５２ａ，５２ｂのうちいずれか一方の開口端部５２ａからのみ外方側に延びるようにしてもよい。
【００３２】
さらに、上記実施形態では、弾性リング体６を介して嵌着部２１１に線状の擬似４２を取り付けているが、該線状の擬似４２を弾性管体５を介してハリス連結部２２に取り付けてもよい。この場合、線状の擬似４２は、帯状の擬似４１と共に弾性管体５に挿通または固着などされる。
また、帯状の擬似４１に代えて、線状の擬似４２のみを弾性管体５を介してハリス連結部２２に取り付けてもよい。
更に、帯状の擬似４１は、１本又は２本に限られず、３本以上取り付けることもできる。
要は、細長状の擬似４である、帯状の擬似４１又は線状の擬似４２のうち、少なくとも何れか一方が弾性管体５を介してハリス連結部２２に着脱可能に取り付けられていればよい。
【００３３】
また、ハリス連結部２２の形状は特に限定されるものでなく、例えば、図６に示すような構成でもよい。図６に示すハリス連結部２２は、延出部２２１、フック部２２２及び挿通部２２３から構成され、延出部２２１及びフック部２２２は、図２（ａ）に示すハリス連結部２２と同様の構成である。挿通部２２３は、フック部２２２の端部から前方側に延設され、中間域に於いて延出部２２１の周面を回り込むように係合し、且つ、その端部側に向かうに従って延出部２２１から離間するように形成されている。かかる中間域は、延出部２２１との係合が解除され難くされるように、延出部２２１から離れる方向に押圧できるように付勢されている。
かかる構成のハリス連結部２２においては、付勢方向に抗して挿通部２２３を押し、中間域と延出部２２１とを離間させて、中間域と延出部２２１との係合を解除し、ハリス３の環状端部３１を、挿通部２２３の端部からフック部２２２側へ挿通することで、ハリス３を取り付けることができる。
【図面の簡単な説明】
【００３４】
【図１】本発明の一実施形態に係る釣り用ジグの正面図。
【図２】（ａ）は、弾性管体が嵌入されていない状態のハリス連結部近傍の拡大図。（ｂ）は、ハリスの正面図。
【図３】（ａ）は、帯状の擬似が挿通された弾性管体の正面図。（ｂ）は、第１の擬似が短くなった状態を示す図。（ｃ）は、第１の擬似が短くなった後、第１の擬似及び第２の擬似の長さを調整した後の状態を示す図。
【図４】（ａ）は、弾性管体がハリス連結部に嵌入された状態のハリス連結部近傍の拡大正面図。（ｂ）は、その状態のハリス連結部近傍の一部断面図（但し、弾性管体および弾性リング体のみ断面で表す）。
【図５】（ａ）は、帯状の擬似が外面に固着された弾性管体の正面図。（ｂ）は、帯状の擬似が内面に固着された弾性管体の正面図。（ｃ）は、両開口端部近傍の外面に、それぞれ帯状の擬似が固着された弾性管体の正面図（ｄ）は、両開口端部近傍の内面に、それぞれ帯状の擬似が固着された弾性管体の正面図。（ｅ）は、帯状の擬似が何れか一方の開口端部から延びるように取り付けられた弾性管体の正面図。
【図６】変形例のハリス連結部の正面図。
【図７】従来の釣り用ジグの正面図。
【符号の説明】
【００３５】
１…釣り用ジグ、２…ジグヘッド、２１…錘部、２２…ハリス連結部、３…ハリス、３１…環状端部  ３２…針、４１…帯状の擬似、４２…線状の擬似  ５…弾性管体、７…ミチ糸
【図１】
2008054539.tif 000003
【図２】
2008054539.tif 000004
【図３】
2008054539.tif 000005
【図４】
2008054539.tif 000006
【図５】
2008054539.tif 000007
【図６】
2008054539.tif 000008
【図７】
2008054539.tif 000009